(57)【要約】【課題】バッテリーポストに対して適正に締結することができるバッテリー端子を提供することを目的とする。【解決手段】バッテリー端子１は、バッテリーポストが挿入される本体部２０と、第１締結部材３１に対する第２締結部材３２の螺合に伴って当接部３１ｂと介在部材３３とによって締付方向Ｙに沿って本体部２０を締め付ける締付部３０とを備える。そして、介在部材３３は、本体部２０を構成する上板２０Ａと下板２０Ｂとの間に介在して当該上板２０Ａ及び当該下板２０Ｂに当接可能であり軸方向Ｘに沿って上板２０Ａと下板２０Ｂとが接近する側への変形を規制する挿入規制部３３ｄを有する。この構成により、バッテリー端子１は、バッテリーポストに対して適正に締結することができる、という効果を奏する。【選択図】図４
2018125234.tif 000002
【特許請求の範囲】
【請求項１】
バッテリーポストの軸方向に沿って相互に対向する上板、及び、下板によって形成され、前記バッテリーポストが挿入されるポスト挿入孔、及び、当該ポスト挿入孔と連続するスリットが形成された本体部と、
前記軸方向と交差する方向であって、前記スリットを横断する方向である締付方向に沿って前記本体部の一端側から前記スリットを挟んで前記本体部の他端側まで延在して配置されると共に前記締付方向の一端側に前記本体部と当接する当接部が設けられた第１締結部材、前記第１締結部材の前記締付方向の他端側に螺合される第２締結部材、及び、前記第１締結部材の前記締付方向の他端側に挿通され前記本体部と前記第２締結部材との間に介在する介在部材を有し、前記第１締結部材に対する前記第２締結部材の螺合に伴って前記当接部と前記介在部材とによって前記締付方向に沿って前記本体部を締め付ける締付部とを備え、
前記介在部材は、前記上板と前記下板との間に介在して当該上板及び当該下板に当接可能であり前記軸方向に沿って前記上板と前記下板とが接近する側への変形を規制する挿入規制部を有することを特徴とする、
バッテリー端子。
【請求項２】
前記介在部材は、前記軸方向に対して前記上板と前記下板との外側に位置し当該上板又は当該下板に当接可能であり前記軸方向に沿って前記上板と前記下板とが離間する側への変形を規制する外部規制部を有する、
請求項１に記載のバッテリー端子。
【請求項３】
前記挿入規制部は、前記軸方向及び前記締付方向と交差する対向方向に沿って対向して一対で設けられ、
前記外部規制部は、前記軸方向に沿って対向して一対で設けられ、
前記介在部材は、前記一対の前記挿入規制部、及び、前記一対の前記外部規制部がそれぞれ同一形状に形成されかつ前記介在部材における前記第１締結部材の挿通中心を基準として相互に点対称な位置に設けられる、
請求項２に記載のバッテリー端子。
【請求項４】
前記本体部は、前記上板と前記下板とを連結する連結部、及び、前記介在部材に対して前記連結部側とは反対側で当該介在部材と当接し当該介在部材の前記連結部側とは反対側への移動を規制する規制突起部を含み、
前記介在部材は、前記挿入規制部が前記上板と前記下板との間に介在した状態で、当該挿入規制部が前記連結部と当接し前記第１締結部材の当該連結部側への移動を規制する、
請求項１乃至請求項３のいずれか１項に記載のバッテリー端子。
【発明の詳細な説明】
【技術分野】
【０００１】
本発明は、バッテリー端子に関する。
【背景技術】
【０００２】
従来のバッテリー端子として、例えば、特許文献１には、先端径が基端径より小さいテーパ形状のバッテリーポストに巻着するバッテリーターミナルが開示されている。このバッテリーターミナルは、一対の環状部を備える。一対の環状部は、バッテリーポストを挿入するポスト挿入穴を有するとともに該ポスト挿入穴の内周を分断する締付け間隙によって該ポスト挿入穴が開放されている。そして、バッテリーターミナルは、バッテリーポスト先端側の該環状部における穴縁部をバッテリーポストの基端側に折り曲げた鍔状の接触部と、バッテリーポスト基端側の該環状部における穴縁部をバッテリーポストの先端側に折り曲げた鍔状の接触部とを備える。
【先行技術文献】
【特許文献】
【０００３】
【特許文献１】特開平０９−２９３４９４号公報
【発明の概要】
【発明が解決しようとする課題】
【０００４】
ところで、上述の特許文献１に記載のバッテリーターミナルは、例えば、バッテリーポストに対する締結の点で更なる改善の余地がある。
【０００５】
本発明は、上記の事情に鑑みてなされたものであって、バッテリーポストに対して適正に締結することができるバッテリー端子を提供することを目的とする。
【課題を解決するための手段】
【０００６】
上記目的を達成するために、本発明に係るバッテリー端子は、バッテリーポストの軸方向に沿って相互に対向する上板、及び、下板によって形成され、前記バッテリーポストが挿入されるポスト挿入孔、及び、当該ポスト挿入孔と連続するスリットが形成された本体部と、前記軸方向と交差する方向であって、前記スリットを横断する方向である締付方向に沿って前記本体部の一端側から前記スリットを挟んで前記本体部の他端側まで延在して配置されると共に前記締付方向の一端側に前記本体部と当接する当接部が設けられた第１締結部材、前記第１締結部材の前記締付方向の他端側に螺合される第２締結部材、及び、前記第１締結部材の前記締付方向の他端側に挿通され前記本体部と前記第２締結部材との間に介在する介在部材を有し、前記第１締結部材に対する前記第２締結部材の螺合に伴って前記当接部と前記介在部材とによって前記締付方向に沿って前記本体部を締め付ける締付部とを備え、前記介在部材は、前記上板と前記下板との間に介在して当該上板及び当該下板に当接可能であり前記軸方向に沿って前記上板と前記下板とが接近する側への変形を規制する挿入規制部を有することを特徴とする。
【０００７】
また、上記バッテリー端子では、前記介在部材は、前記軸方向に対して前記上板と前記下板との外側に位置し当該上板又は当該下板に当接可能であり前記軸方向に沿って前記上板と前記下板とが離間する側への変形を規制する外部規制部を有するものとすることができる。
【０００８】
また、上記バッテリー端子では、前記挿入規制部は、前記軸方向及び前記締付方向と交差する対向方向に沿って対向して一対で設けられ、前記外部規制部は、前記軸方向に沿って対向して一対で設けられ、前記介在部材は、前記一対の前記挿入規制部、及び、前記一対の前記外部規制部がそれぞれ同一形状に形成されかつ前記介在部材における前記第１締結部材の挿通中心を基準として相互に点対称な位置に設けられるものとすることができる。
【０００９】
また、上記バッテリー端子では、前記本体部は、前記上板と前記下板とを連結する連結部、及び、前記介在部材に対して前記連結部側とは反対側で当該介在部材と当接し当該介在部材の前記連結部側とは反対側への移動を規制する規制突起部を含み、前記介在部材は、前記挿入規制部が前記上板と前記下板との間に介在した状態で、当該挿入規制部が前記連結部と当接し前記第１締結部材の当該連結部側への移動を規制するものとすることができる。
【発明の効果】
【００１０】
本発明に係るバッテリー端子は、本体部に形成されたポスト挿入孔にバッテリーポストが挿入された状態で、第１締結部材、第２締結部材、及び、介在部材の作用によって、本体部をバッテリーポストに対して締結することができる。すなわち、バッテリー端子は、第１締結部材に対して第２締結部材が螺合されることで、本体部を当接部と介在部材とによって締付方向の両側から締め付けることができる。この構成により、バッテリー端子は、締付方向に沿ってスリットの間隔が縮小するように本体部を締め付けることができるので、本体部をバッテリーポストに対して締結することができる。このとき、バッテリー端子は、本体部を構成する上板と下板との間に、介在部材の挿入規制部が当該上板と当該下板とに当接可能に介在する。この構成により、バッテリー端子は、当該挿入規制部によって上板と下板とが軸方向に沿って接近するように変形することを規制することができるので、バッテリーポストに対して適正に締結することができる、という効果を奏する。
【図面の簡単な説明】
【００１１】
【図１】図１は、実施形態に係るバッテリー端子、及び、バッテリーの概略構成を表す部分斜視図である。
【図２】図２は、実施形態に係るバッテリー端子、及び、バッテリーの概略構成を表す部分分解斜視図である。
【図３】図３は、実施形態に係るバッテリー端子の概略構成を表す斜視図である。
【図４】図４は、実施形態に係るバッテリー端子の概略構成を表す分解斜視図である。
【図５】図５は、実施形態に係るバッテリー端子のワッシャの概略構成を表す斜視図である。
【図６】図６は、実施形態に係るバッテリー端子のワッシャの概略構成を表す正面図である。
【図７】図７は、実施形態に係るバッテリー端子の挿入規制部、外部規制部を含む部分断面図である。
【図８】図８は、実施形態に係るバッテリー端子のブラケットの一方の側面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
【００１４】
図１〜図４に示す本実施形態に係るバッテリー端子１は、バッテリー５０のバッテリーポスト５１に組み付けられるものである。バッテリー端子１は、バッテリーポスト５１に組み付けられることにより、バッテリー５０と、接続端子５２等とを電気的に接続するための部品である。バッテリー５０は、車両等に蓄電装置として搭載されるものである。バッテリー５０は、バッテリー液や当該バッテリー５０を構成する種々の部品を収容するバッテリー筐体５３の１つの面、典型的には、バッテリー５０を車両に搭載した状態で鉛直方向上側に位置する面にバッテリーポスト５１が立設される。バッテリーポスト５１は、バッテリー筐体５３の鉛直方向上側の面から鉛直方向上側に向けて突出する。バッテリーポスト５１は、円柱状、より詳細には、先端側に進むにつれて径が小さくなるようテーパが付けられた円柱状（あるいは、円筒状）に形成される。つまり、バッテリーポスト５１は、先端の外径が基端の外径より小さいテーパ形状となる。バッテリーポスト５１は、中心軸線Ｃが鉛直方向に沿うように配置される。バッテリー端子１は、このように構成されるバッテリーポスト５１に締結される。また、接続端子５２は、このバッテリー５０が搭載される車両等の本体側の電線５４の末端に設けられた接続相手部材である。
【００１５】
なお、以下の説明では、バッテリーポスト５１の中心軸線Ｃに沿った方向を軸方向Ｘという。またここでは、以下の説明を分かり易くするために、便宜的に当該軸方向Ｘと直交する２方向のうち一方を第１幅方向Ｙといい、他方を第２幅方向Ｚという。第１幅方向Ｙ、及び、第２幅方向Ｚは、軸方向Ｘと交差する交差方向に相当する。第１幅方向Ｙは、後述する締付部３０による本体部２０の締付方向に相当する。第２幅方向Ｚは、後述する一対の挿入規制部３３ｄの対向方向に相当する。これら軸方向Ｘ、第１幅方向Ｙ、及び、第２幅方向Ｚは互いに交差、ここでは直交する。以下の説明で用いる各方向は、特に断りのない限り、各部が相互に組み付けられた状態での方向を表すものとする。
【００１６】
具体的には、バッテリー端子１は、スタッドボルト１０と、本体部２０と、締付部３０とを備える。
【００１７】
スタッドボルト１０は、軸部１０ａと、ボルト頭部１０ｂ（特に図４参照）とを有して構成され、これらが導電性を有する金属等によって一体で形成される。軸部１０ａは、接続端子５２が接続される部分である。軸部１０ａは、円柱状に形成されると共に外周面に螺合溝が形成されている。ボルト頭部１０ｂは、軸部１０ａの一端に設けられた基部である。ボルト頭部１０ｂは、軸部１０ａが立設される台座部分である。ボルト頭部１０ｂは、軸部１０ａより大径の部分として形成される。ここでは、ボルト頭部１０ｂは、略矩形状に形成される。
【００１８】
本体部２０は、ポスト締結部２１と、ボルト保持部２２とを備える。ポスト締結部２１は、バッテリーポスト５１に締結される部分である。ボルト保持部２２は、ポスト締結部２１に第２幅方向Ｚに隣接して接続されスタッドボルト１０を保持する部分である。本体部２０は、例えば、導電性を有する金属板のプレス折り曲げ加工等により、ポスト締結部２１を構成する一対の環状部２０ａ、２０ｂ、ボルト保持部２２を構成する一対の保持板状部２０ｃ、２０ｄ、及び、連結部としての屈曲連結部２０ｅが一体で形成される。
【００１９】
一対の環状部２０ａ、２０ｂは、略矩形環状に形成される。一対の環状部２０ａ、２０ｂは、それぞれポスト挿入孔２０ｆ、２０ｇ、及び、スリット２０ｈ、２０ｉが形成される。ポスト挿入孔２０ｆ、２０ｇは、バッテリーポスト５１が挿入される略円形状の孔である。スリット２０ｈ、２０ｉは、ポスト挿入孔２０ｆ、２０ｇと連続する間隙である。ポスト挿入孔２０ｆ、２０ｇとスリット２０ｈ、２０ｉとは、第２幅方向Ｚに沿って連続する。
【００２０】
一対の保持板状部２０ｃ、２０ｄは、略矩形状に形成され、保持板状部２０ｃ側にボルト挿入孔２０ｊが形成される。ボルト挿入孔２０ｊは、スタッドボルト１０の軸部１０ａが挿入される孔であり略円形状に形成される。環状部２０ａと保持板状部２０ｃとは、連続するように一体で形成され、上板２０Ａを構成する。環状部２０ｂと保持板状部２０ｄとは、連続するように一体で形成され、下板２０Ｂを構成する。
【００２１】
そして、環状部２０ａと環状部２０ｂとは、それぞれ保持板状部２０ｃ、２０ｄが設けられている端部とは反対側の端部同士が屈曲連結部２０ｅを介して連続するように一体で形成される。つまり、上板２０Ａと下板２０Ｂとは、屈曲連結部２０ｅによって連結され、当該屈曲連結部２０ｅを介して連続するように一体で形成される。これにより、本体部２０は、屈曲連結部２０ｅを挟んで、Ｕ字状に折り返された状態に形成され、環状部２０ａ、保持板状部２０ｃと環状部２０ｂ、保持板状部２０ｄとが軸方向Ｘに対向しそれぞれ上下に略平行に板状に積層された状態となるように形成される。つまりこの構成により、本体部２０は、軸方向Ｘに沿って相互に対向するように上下に積層された上板２０Ａ、及び、下板２０Ｂによって形成され、これら上板２０Ａ、下板２０Ｂにそれぞれ上述したポスト挿入孔２０ｆ、２０ｇ、及び、スリット２０ｈ、２０ｉが形成される。
【００２２】
なお、ここで、上下に積層された状態とは、典型的には、バッテリー端子１がバッテリーポスト５１に組み付けられた状態で、バッテリーポスト５１の軸方向Ｘに沿って積層されるような状態に相当する。また、積層方向は、典型的には、バッテリー端子１がバッテリーポスト５１に組み付けられた状態で、軸方向Ｘに沿った方向であり、ここではスタッドボルト１０の軸部１０ａが突出する側を積層方向上側、反対側を積層方向下側とする。また、積層方向上側とは、バッテリーポスト５１の先端側に相当し、積層方向下側とは、バッテリーポスト５１の基端側に相当する。ここでは、本体部２０は、環状部２０ａ、保持板状部２０ｃが積層方向上側、環状部２０ｂ、保持板状部２０ｄが積層方向下側となる。つまり、本体部２０は、上板２０Ａが積層方向上側、下板２０Ｂが積層方向下側となる。
【００２３】
具体的には、一対の環状部２０ａ、２０ｂは、屈曲連結部２０ｅを介して上下に積層された状態でポスト挿入孔２０ｆとポスト挿入孔２０ｇとが積層方向に対向する位置関係となるように当該ポスト挿入孔２０ｆ、ポスト挿入孔２０ｇが形成される。ポスト挿入孔２０ｆは、板金が積層方向上側に折り返されることで内周壁面が形成される。ポスト挿入孔２０ｇは、板金が積層方向下側に折り返されることで内周壁面が形成される。ポスト挿入孔２０ｆ、ポスト挿入孔２０ｇは、それぞれの内周壁面に上述したバッテリーポスト５１のテーパに対応したテーパを有している。ここでは、ポスト挿入孔２０ｆとポスト挿入孔２０ｇとは、スタッドボルト１０の軸部１０ａが突出する側、すなわち、ポスト挿入孔２０ｆ側の内径が最小となり、反対側のポスト挿入孔２０ｇ側の内径が最大となる。ポスト挿入孔２０ｆ、ポスト挿入孔２０ｇは、バッテリーポスト５１が挿入された状態で、各内周面がバッテリーポスト５１と接触する。
【００２４】
また、一対の環状部２０ａ、２０ｂは、屈曲連結部２０ｅを介して上下に積層された状態でスリット２０ｈとスリット２０ｉとが積層方向に対向する位置関係となるように当該スリット２０ｈ、スリット２０ｉが形成される。スリット２０ｈ、２０ｉは、屈曲連結部２０ｅにて連続しており、全体として屈曲連結部２０ｅ及び環状部２０ａ、２０ｂにおいて、当該屈曲連結部２０ｅからポスト挿入孔２０ｆ、ポスト挿入孔２０ｇまで延在している。言い換えれば、スリット２０ｈ、２０ｉは、ポスト挿入孔２０ｆ、２０ｇから環状部２０ａ、２０ｂの一部を分断するようにして屈曲連結部２０ｅまで延在して形成される。さらに、一対の環状部２０ａ、２０ｂは、それぞれポスト挿入孔２０ｆ、２０ｇから屈曲連結部２０ｅまでの間の部分が後述の締付部３０によって締め付けられる締付端部２０ｋを構成する。スリット２０ｈ、２０ｉは、この締付端部２０ｋを第２幅方向Ｚに沿ってポスト挿入孔２０ｆ、２０ｇから屈曲連結部２０ｅまで貫通する。締付端部２０ｋは、第１幅方向Ｙの両側の端部に、それぞれ締付部３０の一部が嵌合する略矩形状の切り欠き部２０ｌ、２０ｍが形成されている。切り欠き部２０ｌ、２０ｍは、それぞれ環状部２０ａ（上板２０Ａ）、及び、環状部２０ｂ（下板２０Ｂ）の双方に渡って形成される。また、締付端部２０ｋは、切り欠き部２０ｍに隣接してさらに規制突起部２０ｎ（特に図４参照）が形成されている。規制突起部２０ｎは、それぞれ締付部３０の一部を第２幅方向Ｚに対して位置決めするものである。規制突起部２０ｎは、環状部２０ａ（上板２０Ａ）、及び、環状部２０ｂ（下板２０Ｂ）の双方にそれぞれ形成される。規制突起部２０ｎは、第２幅方向Ｚに対して切り欠き部２０ｍの屈曲連結部２０ｅ側とは反対側で当該切り欠き部２０ｍと隣接して形成される。規制突起部２０ｎは、第１幅方向Ｙに沿って突出するように形成される。見方を変えれば、規制突起部２０ｎは、第１幅方向Ｙに沿って突出するように形成されることで切り欠き部２０ｍを形成している。
【００２５】
一対の保持板状部２０ｃ、２０ｄは、折り曲げ加工の前に事前にボルト挿入孔２０ｊにスタッドボルト１０の軸部１０ａが挿入された状態で折り曲げ加工されることで、屈曲連結部２０ｅを介して上下に積層された状態で当該スタッドボルト１０を保持する。ここでは、上述したように、保持板状部２０ｃは、ボルト挿入孔２０ｊが形成された上板２０Ａを構成する。ボルト挿入孔２０ｊは、スタッドボルト１０の軸部１０ａが貫通する貫通孔である。一方、保持板状部２０ｄは、上板２０Ａを構成する保持板状部２０ｃと積層方向（軸方向Ｘ）に対向し保持板状部２０ｃとの間にスタッドボルト１０のボルト頭部１０ｂを保持する下板２０Ｂを構成する。つまり、一対の保持板状部２０ｃ、及び、保持板状部２０ｄは、互いに対向して積層され互いの間にボルト頭部１０ｂを保持する。言い換えれば、ボルト保持部２２は、軸方向Ｘに沿って相互に対向する保持板状部２０ｃ、及び、保持板状部２０ｄを有し、スタッドボルト１０のボルト頭部１０ｂを軸方向Ｘに対して保持板状部２０ｃと保持板状部２０ｄとの間に挟み込んで保持する。
【００２６】
スタッドボルト１０は、保持板状部２０ｃと保持板状部２０ｄとの間に保持された状態で、ボルト挿入孔２０ｊから軸部１０ａが軸方向Ｘに沿って突出するようにして露出している。スタッドボルト１０は、ボルト挿入孔２０ｊから露出した当該軸部１０ａに接続端子５２が電気的に接続される。スタッドボルト１０は、接続端子５２の締結孔５２ａに軸部１０ａが挿入され、当該軸部１０ａにナット５５が螺合されることで当該軸部１０ａに接続端子５２が締結される。上述のボルト保持部２２において、上板２０Ａを構成する保持板状部２０ｃは、スタッドボルト１０の軸部１０ａにナット５５が螺合されることで、ナット５５とスタッドボルト１０のボルト頭部１０ｂとの間に接続端子５２と共に挟持される。
【００２７】
締付部３０は、ポスト挿入孔２０ｆ、２０ｇ内にバッテリーポスト５１が挿入された状態で、本体部２０をバッテリーポスト５１に締結するものである。締付部３０は、第１幅方向（締付方向）Ｙの両側から本体部２０の一対の環状部２０ａ、２０ｂに当接し、当該環状部２０ａ、２０ｂの締付端部２０ｋを締め付ける。これにより、締付部３０は、本体部２０をバッテリーポスト５１に締結する。締付部３０は、第１締結部材としてのボルト３１と、第２締結部材としてのナット３２と、介在部材としてのワッシャ３３とを有する。本実施形態の締付部３０は、バッテリー端子１をバッテリーポスト５１に締結する場合に、ナット３２を第１幅方向Ｙに沿って締め付けていく形式である。この場合、締付部３０は、ナット３２を締め付けた際にボルト３１とナット３２との間に第１幅方向Ｙに沿って発生す締結力Ｆ（後述の図８参照）によってバッテリー端子１においてバッテリーポスト５１が挿入される部分を押圧する。締付部３０は、ボルト３１に対するナット３２の螺合に伴ってボルト３１の当接部３１ｂとワッシャ３３とによって第１幅方向Ｙに沿って本体部２０を締め付けることで本体部２０をバッテリーポスト５１に締結する。
【００２８】
具体的には、ボルト３１は、本体部２０に対して第１幅方向Ｙに沿って組み付けられる部材である。ボルト３１は、ボルト本体部としての軸部３１ａと、当接部３１ｂとを有して構成され、これらが導電性を有する金属等によって一体で形成される。軸部３１ａは、第１幅方向Ｙに沿って本体部２０の環状部２０ａ、２０ｂの一端側からスリット２０ｈ、２０ｉを挟んで本体部２０の環状部２０ａ、２０ｂの他端側まで延在して配置される部分である。ここで上述したように、第１幅方向Ｙは、バッテリーポスト５１の中心軸線Ｃに沿った軸方向Ｘと直交（交差）する方向であって、環状部２０ａ、２０ｂに形成されたスリット２０ｈ、２０ｉを横断する方向に相当する。そして、第１幅方向Ｙは、典型的には、環状部２０ａ、２０ｂをバッテリーポスト５１に締結する際に締付部３０によって環状部２０ａ、２０ｂを締め付ける締付方向に相当する。軸部３１ａは、ナット３２が螺合される。軸部３１ａは、円柱状に形成されると共に外周面に螺合溝が形成されている。当接部３１ｂは、軸部３１ａが立設される台座部分である。当接部３１ｂは、軸部３１ａの第１幅方向Ｙの一端に設けられ、本体部２０をバッテリーポスト５１に締結する際に、本体部２０の環状部２０ａ、２０ｂ、ここでは、締付端部２０ｋと当接する部分である。当接部３１ｂは、軸部３１ａの一方の端部に当該軸部３１ａと一体で設けられる。より詳細には、当接部３１ｂは、軸部３１ａが第１幅方向Ｙに沿って環状部２０ａ、２０ｂの一端側から他端側まで貫通するように本体部２０に組み付けられた状態で、軸部３１ａにおいて本体部２０の切り欠き部２０ｌ側に位置する端部に設けられる。当接部３１ｂは、軸部３１ａより大径の部分として形成され、ここでは、略矩形板状に形成される。軸部３１ａは、当接部３１ｂ側の端部とは反対側の他方の端部に上記螺合溝が形成されナット３２が螺合される。
【００２９】
上記のように構成されるボルト３１は、軸部３１ａが上下に積層された状態の一対の環状部２０ａ、２０ｂの間（上板２０Ａと下板２０Ｂとの間）に第１幅方向Ｙに沿って挿入される。このとき、ボルト３１は、軸部３１ａが締付端部２０ｋの切り欠き部２０ｌ側から当該一対の環状部２０ａ、２０ｂの間に挿入される。つまり、ボルト３１は、軸部３１ａがスリット２０ｈ、２０ｉを横断するような位置関係で締付端部２０ｋにおける第１幅方向Ｙの一端部側、ここでは、切り欠き部２０ｌ側から挿入される。そして、ボルト３１は、第１幅方向Ｙに沿って環状部２０ａ、２０ｂの一端側から他端側まで貫通させて本体部２０に組み付けられる。つまり、ボルト３１は、軸部３１ａが屈曲連結部２０ｅを介して上下に積層された状態の一対の環状部２０ａ、２０ｂの間の空間部にスリット２０ｈ、２０ｉを横断するように挿入され、当該本体部２０に組み付けられる。ボルト３１は、本体部２０に組み付けられた状態で、当接部３１ｂが切り欠き部２０ｌに嵌合し当該切り欠き部２０ｌ内に収容され位置決めされる。当接部３１ｂは、切り欠き部２０ｌ内に収容され位置決めされた状態で締付端部２０ｋと当接する。ボルト３１は、本体部２０に組み付けられた状態で、軸部３１ａの螺合溝が形成された部分の先端部分が締付端部２０ｋを挟んで当接部３１ｂとは反対側に位置する。
【００３０】
ナット３２は、ボルト３１の第１幅方向Ｙの他端側（当接部３１ｂが設けられる一端側とは反対側）に螺合される部材である。ナット３２は、導電性を有する金属等によって形成される。ナット３２は、螺合孔の内周面に螺合溝が形成され、ボルト３１の軸部３１ａに螺合可能に形成される。ナット３２は、ボルト３１の軸部３１ａが第１幅方向Ｙに沿って環状部２０ａ、２０ｂの一端側から他端側まで貫通するように本体部２０に組み付けられた状態で、軸部３１ａにおいて本体部２０の切り欠き部２０ｍ側に位置する端部に螺合される。すなわち、ナット３２は、本体部２０における締付端部２０ｋの切り欠き部２０ｍ側から露出する軸部３１ａの先端部分、すなわち、軸部３１ａの当接部３１ｂとは反対側の先端部分に螺合される。ナット３２は、ボルト３１が本体部２０に組み付けられ、軸部３１ａに螺合された状態で、当接部３１ｂと第１幅方向Ｙに対向する。
【００３１】
ワッシャ３３は、ボルト３１の第１幅方向Ｙの他端側に挿通され、本体部２０とナット３２との間に介在する部材である。ここで、ボルト３１の第１幅方向Ｙの他端側とは、上述のように、当接部３１ｂが設けられる一端側とは反対側であり、第１幅方向Ｙにおいてナット３２が設けられる側である。
【００３２】
具体的には、ワッシャ３３は、図３、図４、図５、図６に示すように、ワッシャ本体部としての板状部３３ａと、貫通孔３３ｂと、突起部３３ｃとを有して構成され、これらが導電性を有する金属等によって一体で形成される。板状部３３ａは、略矩形板状に形成される。ここでは、板状部３３ａは、略正方形板状に形成される。貫通孔３３ｂは、ボルト３１の軸部３１ａが第１幅方向Ｙに沿って挿通される孔である。貫通孔３３ｂは、板状部３３ａの略中央部に板状部３３ａを第１幅方向Ｙに沿って貫通して形成される。突起部３３ｃは、板状部３３ａの端部が第１幅方向Ｙに沿って折り返されることで形成される。突起部３３ｃは、板状部３３ａから第１幅方向Ｙに沿って突出して形成される。突起部３３ｃは、複数設けられる。突起部３３ｃは、略矩形板状（略正方形板状）に形成された板状部３３ａの各辺にそれぞれ１つずつ、合計４つ設けられる。複数、ここでは、４つの突起部３３ｃは、板状部３３ａから第１幅方向Ｙに沿って同じ側に突出して形成される。４つの突起部３３ｃは、本体部２０に組み付けられた状態のボルト３１に対して当該ワッシャ３３が挿通され組み付けられた状態で、一対が第２幅方向Ｚに沿って対向し、他の一対が軸方向Ｘに沿って対向する。第２幅方向Ｚに沿って対向する一対の突起部３３ｃは、板状部３３ａの軸方向Ｘに沿った各辺にそれぞれ軸方向Ｘに沿って延在して形成される。軸方向Ｘに沿って対向する一対の突起部３３ｃは、板状部３３ａの第２幅方向Ｚに沿った各辺にそれぞれ第２幅方向Ｚに沿って延在して形成される。ワッシャ３３は、これら４つの突起部３３ｃがそれぞれ同一形状に形成されかつワッシャ３３におけるボルト３１の挿通中心を基準として相互に点対称な位置に設けられる。ワッシャ３３におけるボルト３１の挿通中心とは、典型的には、ワッシャ３３における軸方向Ｘ、及び、第２幅方向Ｚに対する中心位置であり、貫通孔３３ｂの中心位置に相当する。
【００３３】
上記のように構成されるワッシャ３３は、本体部２０に組み付けられた状態のボルト３１に対してナット３２が螺合される前に当該ボルト３１の軸部３１ａに挿通される。ナット３２は、ワッシャ３３が軸部３１ａに挿通された後に軸部３１ａに螺合される。ワッシャ３３は、各突起部３３ｃが第１幅方向Ｙの本体部２０側を向く位置関係で、貫通孔３３ｂに軸部３１ａが挿通される。ワッシャ３３は、ボルト３１に組み付けられた状態で、板状部３３ａが本体部２０の締付端部２０ｋに形成された切り欠き部２０ｍと嵌合し当該切り欠き部２０ｍ内に収容され位置決めされる。ワッシャ３３は、この状態で板状部３３ａが環状部２０ａ、２０ｂの締付端部２０ｋと当接する。ワッシャ３３は、ボルト３１に組み付けられ板状部３３ａが切り欠き部２０ｍ内に収容され位置決めされた状態で本体部２０とナット３２との間に介在する。
【００３４】
そして、ワッシャ３３は、板状部３３ａが該切り欠き部２０ｍ内に収容され位置決めされた状態で、図７に示すように、複数の突起部３３ｃの一部が一対の環状部２０ａ、２０ｂの間、すなわち、上板２０Ａと下板２０Ｂとの間の空間部に挿入されて位置する。一方、ワッシャ３３は、板状部３３ａが該切り欠き部２０ｍ内に収容され位置決めされた状態で、複数の突起部３３ｃの他の一部が軸方向Ｘに沿って積層された一対の環状部２０ａ、２０ｂの外側、すなわち、上板２０Ａ、下板２０Ｂの外側に露出して位置する。ここでは、複数の突起部３３ｃは、第２幅方向Ｚに沿って対向する一対の突起部３３ｃが上板２０Ａを構成する環状部２０ａと下板２０Ｂを構成する環状部２０ｂとの間の空間部に挿入されて位置する。一方、複数の突起部３３ｃは、軸方向Ｘに沿って対向する一対の突起部３３ｃが上板２０Ａを構成する環状部２０ａ、下板２０Ｂを構成する環状部２０ｂの外側に露出して位置する。
【００３５】
本実施形態の複数の突起部３３ｃは、挿入規制部３３ｄ、及び、外部規制部３３ｅを構成する。挿入規制部３３ｄは、第２幅方向Ｚに沿って対向し上板２０Ａと下板２０Ｂとの間の空間部に挿入されて位置する一対の突起部３３ｃによって構成される。一方、外部規制部３３ｅは、軸方向Ｘに沿って対向し上板２０Ａ、下板２０Ｂの外側に露出して位置する一対の突起部３３ｃによって構成される。つまり、挿入規制部３３ｄは、第２幅方向Ｚに沿って対向して一対で設けられる。外部規制部３３ｅは、軸方向Ｘに沿って対向して一対で設けられる。そして、ワッシャ３３は、一対の挿入規制部３３ｄ、及び、一対の外部規制部３３ｅがそれぞれ同一形状に形成されかつワッシャ３３におけるボルト３１の挿通中心を基準として相互に点対称な位置に設けられる。
【００３６】
一対の挿入規制部３３ｄは、一対の環状部２０ａ、２０ｂの間、すなわち、上板２０Ａと下板２０Ｂとの間の空間部に挿入されて位置することで、軸方向Ｘに対して上板２０Ａと下板２０Ｂとの間に介在する。一対の挿入規制部３３ｄは、上板２０Ａと下板２０Ｂとの間に介在した状態で、上板２０Ａを構成する環状部２０ａ及び下板２０Ｂを構成する環状部２０ｂに当接可能である。この構成により、一対の挿入規制部３３ｄは、軸方向Ｘに沿って上板２０Ａを構成する環状部２０ａと下板２０Ｂを構成する環状部２０ｂとが接近する側への変形を規制する。すなわち、一対の挿入規制部３３ｄは、環状部２０ａ及び環状部２０ｂに当接することで、軸方向Ｘに沿った上板２０Ａと下板２０Ｂとの間隔を維持し、当該間隔が狭まる側への上板２０Ａ、下板２０Ｂの変形を規制する。
【００３７】
一対の外部規制部３３ｅは、軸方向Ｘに対して一対の環状部２０ａ、２０ｂの外側、すなわち、上板２０Ａと下板２０Ｂとの外側に位置した状態で、上板２０Ａを構成する環状部２０ａ又は下板２０Ｂを構成する環状部２０ｂに当接可能である。この構成により、一対の外部規制部３３ｅは、軸方向Ｘに沿って上板２０Ａを構成する環状部２０ａと下板２０Ｂを構成する環状部２０ｂとが離間する側への変形を規制する。すなわち、一対の外部規制部３３ｅは、環状部２０ａ又は環状部２０ｂに当接することで、軸方向Ｘに沿った上板２０Ａと下板２０Ｂとの間隔を維持し、当該間隔が広がる側への上板２０Ａ、下板２０Ｂの変形を規制する。
【００３８】
上記のように構成されるバッテリー端子１は、ボルト３１が本体部２０に組み付けられ、ワッシャ３３がボルト３１の軸部３１ａに装着されると共にナット３２が軸部３１ａに螺合することで各部が相互に組み付けられる。この状態で、バッテリー端子１は、ボルト３１の当接部３１ｂが切り欠き部２０ｌ内に収容され位置決めされ、ワッシャ３３が切り欠き部２０ｍ内に収容され位置決めされる。そして、バッテリー端子１は、第１幅方向Ｙに沿ってスリット２０ｈ、２０ｉを挟んで当該第１幅方向Ｙの両側から当接部３１ｂ、ワッシャ３３が本体部２０の締付端部２０ｋに当接する。
【００３９】
この状態で、バッテリー端子１は、各規制突起部２０ｎがワッシャ３３の板状部３３ａに対して屈曲連結部２０ｅとは反対側で当該板状部３３ａと当接し当該ワッシャ３３の屈曲連結部２０ｅとは反対側への移動を規制する。また、バッテリー端子１は、この状態でワッシャ３３の一対の挿入規制部３３ｄが上板２０Ａを構成する環状部２０ａと下板２０Ｂを構成する環状部２０ｂとの間の空間部に挿入されて位置する。また、ワッシャ３３は、各挿入規制部３３ｄが環状部２０ａと環状部２０ｂとの間に介在した状態で、当該挿入規制部３３ｄが屈曲連結部２０ｅと当接しボルト３１の屈曲連結部２０ｅ側への移動を規制する。さらに、バッテリー端子１は、この状態でワッシャ３３の一対の外部規制部３３ｅが上板２０Ａを構成する環状部２０ａ、下板２０Ｂを構成する環状部２０ｂの外側に位置する。
【００４０】
そして、バッテリー端子１は、スタッドボルト１０の軸部１０ａが露出するような位置関係でポスト挿入孔２０ｆ、２０ｇにバッテリーポスト５１が挿入されることで、バッテリーポスト５１に組み付けられる。そして、バッテリー端子１は、ポスト挿入孔２０ｆ、２０ｇの内周面とバッテリーポスト５１の外周面とが接触した状態でナット３２が第１幅方向Ｙの一方側から締め付けられる。これにより、バッテリー端子１は、スリット２０ｈ、２０ｉを挟んで締付端部２０ｋの両側が第１幅方向Ｙに締め付けられ、本体部２０がバッテリーポスト５１に締結される。
【００４１】
より詳細には、バッテリー端子１は、ナット３２が工具等によって第１幅方向Ｙ（軸部３１ａ）周りに回転されることで、螺合作用により、当該ナット３２が第１幅方向Ｙの当接部３１ｂ側に移動する。バッテリー端子１は、ナット３２の第１幅方向Ｙの当接部３１ｂ側への移動に伴ってワッシャ３３も第１幅方向Ｙの当接部３１ｂ側へ移動し、本体部２０の締付端部２０ｋ側に接近する。このとき、ボルト３１は、当接部３１ｂが環状部２０ａ、２０ｂの締付端部２０ｋに当接すると共に当該締付端部２０ｋに形成された切り欠き部２０ｌによって第１幅方向Ｙ周りの回転が規制される。また、ワッシャ３３は、環状部２０ａ、２０ｂの締付端部２０ｋに当接すると共に当該締付端部２０ｋに形成された切り欠き部２０ｍ、及び、各規制突起部２０ｎによって第１幅方向Ｙ周りの回転が規制されつつ第１幅方向Ｙに沿った移動が案内される。
【００４２】
この結果、バッテリー端子１は、図８に示すように、ボルト３１の当接部３１ｂとナット３２との間に第１幅方向Ｙに沿った締結力Ｆが発生する。これにより、バッテリー端子１は、当該締結力Ｆによってボルト３１の当接部３１ｂとワッシャ３３とを介して本体部２０の締付端部２０ｋが第１幅方向Ｙに沿って押圧される。この構成により、バッテリー端子１は、スリット２０ｈ、２０ｉを挟んで締付端部２０ｋの両側が接近する方向に締め付けられる。すなわち、バッテリー端子１は、ボルト３１の当接部３１ｂとワッシャ３３とが第１幅方向Ｙの両側から当該第１幅方向Ｙに沿ってスリット２０ｈ、２０ｉの間隔を縮小する側に本体部２０の当該締付端部２０ｋを締め付ける。この結果、バッテリー端子１は、ポスト挿入孔２０ｆ、２０ｇの内周面とバッテリーポスト５１の外周面とが接触した状態で当該スリット２０ｈ、２０ｉの間隔が狭まりポスト挿入孔２０ｆ、２０ｇの径が縮小され、本体部２０がバッテリーポスト５１に締結される。
【００４３】
そして、バッテリー端子１は、スタッドボルト１０の軸部１０ａに電線５４の末端に設けられた接続端子５２が電気的に接続される。
【００４４】
一方、バッテリー端子１は、ナット３２を緩めれば、締結力Ｆが弱まり、スリット２０ｈ、２０ｉの間隔が広がり、ポスト挿入孔２０ｆ、２０ｇの径が拡大され、バッテリーポスト５１から取り外し可能な状態となる。
【００４５】
以上で説明したバッテリー端子１は、本体部２０に形成されたポスト挿入孔２０ｆ、２０ｇにバッテリーポスト５１が挿入された状態で、ボルト３１、ナット３２、及び、ワッシャ３３の作用によって、本体部２０をバッテリーポスト５１に対して締結することができる。すなわち、バッテリー端子１は、ボルト３１に対してナット３２が螺合されることで、本体部２０を当接部３１ｂとワッシャ３３とによって第１幅方向Ｙの両側から締め付けることができる。この構成により、バッテリー端子１は、第１幅方向Ｙに沿ってスリット２０ｈ、２０ｉの間隔が縮小するように本体部２０を締め付けることができるので、本体部２０をバッテリーポスト５１に対して締結することができる。
【００４６】
このとき、バッテリー端子１は、本体部２０を構成する上板２０Ａと下板２０Ｂとの間に、ワッシャ３３の挿入規制部３３ｄが当該上板２０Ａ及び当該下板２０Ｂに当接可能に介在する。この構成により、バッテリー端子１は、当該挿入規制部３３ｄによって上板２０Ａと下板２０Ｂとが軸方向Ｘに沿って接近するように変形することを規制することができる。この結果、バッテリー端子１は、例えば、ナット３２に付加された締結トルクが当接部３１ｂやワッシャ３３を介して上板２０Ａ、下板２０Ｂに付加され、上板２０Ａ、下板２０Ｂが変形しようとしても挿入規制部３３ｄによって当該変形を阻止することができる。したがって、バッテリー端子１は、本体部２０を構成する上板２０Ａ、下板２０Ｂの変形を抑制し適正な大きさの締結力Ｆを確保することができるので、バッテリーポスト５１に対して適正に締結することができる。また、バッテリー端子１は、ナット３２の締付作業、緩め作業の際に、挿入規制部３３ｄによって本体部２０を構成する上板２０Ａ、下板２０Ｂの変形を阻止することができる。これにより、バッテリー端子１は、例えば、上板２０Ａと下板２０Ｂとがボルト３１の軸部３１ａを押さえ付けるように変形することを阻止することができる。この結果、バッテリー端子１は、ナット３２の締付作業、緩め作業を円滑に行わせることができ、作業性の低下を抑制することができるので、この点でもバッテリーポスト５１に対して適正に締結することができる。
【００４７】
さらに、以上で説明したバッテリー端子１は、ワッシャ３３の外部規制部３３ｅが軸方向Ｘに対して上板２０Ａと下板２０Ｂとの外側に当該上板２０Ａ又は当該下板２０Ｂに当接可能に位置する。この構成により、バッテリー端子１は、当該外部規制部３３ｅによって上板２０Ａと下板２０Ｂとが軸方向Ｘに沿って離間するように変形することを規制することができる。この結果、バッテリー端子１は、例えば、異物等が引っ掛かり上板２０Ａと下板２０Ｂとが開く方向に外力が付加され、上板２０Ａ、下板２０Ｂが変形しようとしても外部規制部３３ｅによって当該変形を阻止することができる。この点でも、バッテリー端子１は、本体部２０を構成する上板２０Ａ、下板２０Ｂの変形を抑制し適正な大きさの締結力Ｆを確保することができるので、バッテリーポスト５１に対して適正に締結することができる。
【００４８】
さらに、以上で説明したバッテリー端子１は、ワッシャ３３において、一対の挿入規制部３３ｄ、及び、一対の外部規制部３３ｅがそれぞれ同一形状に形成されかつ点対称な位置に設けられる。この構成により、バッテリー端子１は、ボルト３１に対するワッシャ３３の組み付け作業性を向上することができる。すなわち、バッテリー端子１は、軸方向Ｘ、第２幅方向Ｚに対するワッシャ３３の方向性を意識しなくても、言い換えれば、ワッシャ３３における挿入規制部３３ｄ、外部規制部３３ｅの位置を確認しなくても、容易にワッシャ３３をボルト３１に組み付けることができる。この場合、バッテリー端子１は、ワッシャ３３の複数の突起部３３ｃのうち上板２０Ａと下板２０Ｂとの間の空間部に挿入されて位置するものが挿入規制部３３ｄを構成し、上板２０Ａ、下板２０Ｂの外側に露出して位置するものが外部規制部３３ｅを構成することとなる。つまり、バッテリー端子１は、例えば、ワッシャ３３を第１幅方向Ｙ周りに９０°回転させた位置関係で組み付けても複数の突起部３３ｃのうちいずれかが挿入規制部３３ｄを構成し他のいずれかが外部規制部３３ｅを構成することとなる。この結果、バッテリー端子１は、上記のようにワッシャ３３の組み付け作業性を向上することができる。
【００４９】
さらに、以上で説明したバッテリー端子１は、本体部２０が上板２０Ａ、及び、下板２０Ｂによって形成され、バッテリーポスト５１に対して上板２０Ａと下板２０Ｂとの双方が締結されることで、より確実に電気的な接続部位を構成することができる。そして、バッテリー端子１は、上板２０Ａと下板２０Ｂとを連結する屈曲連結部２０ｅ、及び、規制突起部２０ｎによって、ボルト３１、ワッシャ３３の第２幅方向Ｚに沿った位置ズレを規制することができる。この結果、バッテリー端子１は、ボルト３１、ナット３２、及び、ワッシャ３３によって適正な位置で本体部２０をバッテリーポスト５１に対して締結することができるので、この点でもバッテリーポスト５１に対して適正に締結することができる。
【００５０】
なお、上述した本発明の実施形態に係るバッテリー端子は、上述した実施形態に限定されず、特許請求の範囲に記載された範囲で種々の変更が可能である。
【００５１】
以上の説明では、本体部２０は、導電性を有する金属板のプレス折り曲げ加工等により、一対の環状部２０ａ、２０ｂ、一対の保持板状部２０ｃ、２０ｄ、及び、屈曲連結部２０ｅが一体で形成されるものとして説明したがこれに限らない。本体部２０は、例えば、屈曲連結部２０ｅを備えず、軸方向Ｘに対して、上板２０Ａを構成する上側分割体（環状部２０ａ、保持板状部２０ｃ）と下板２０Ｂを構成する下側分割体（環状部２０ｂ、保持板状部２０ｄ）との２層分割構造とし、別体に構成される上側分割体と下側分割体とを一体化する構成を有するものであってもよい。
【００５２】
以上の説明では、ワッシャ３３は、一対の挿入規制部３３ｄ、及び、一対の外部規制部３３ｅ、すなわち、４つの突起部３３ｃがそれぞれ同一形状に形成されかつ相互に点対称な位置に設けられるものとして説明したがこれに限らない。また、突起部３３ｃは、複数設けられ、挿入規制部３３ｄ、及び、外部規制部３３ｅを構成するものとして説明したがこれに限らない。突起部３３ｃは、少なくとも１つが設けられ、当該１つが挿入規制部３３ｄを構成すればよい。すなわち、ワッシャ３３は、外部規制部３３ｅを有さない構成であってもよい。
【符号の説明】
【００５３】
１    バッテリー端子
２０    本体部
２０Ａ    上板
２０Ｂ    下板
２０ｅ    屈曲連結部（連結部）
２０ｆ、２０ｇ    ポスト挿入孔
２０ｈ、２０ｉ    スリット
２０ｎ    規制突起部
３０    締付部
３１    ボルト（第１締結部材）
３１ｂ    当接部
３２    ナット（第２締結部材）
３３    ワッシャ（介在部材）
３３ｄ    挿入規制部
３３ｅ    外部規制部
５１    バッテリーポスト
Ｘ    軸方向
Ｙ    第１幅方向（締付方向）
Ｚ    第２幅方向（対向方向）
【図１】
2018125234.tif 000003
【図２】
2018125234.tif 000004
【図３】
2018125234.tif 000005
【図４】
2018125234.tif 000006
【図５】
2018125234.tif 000007
【図６】
2018125234.tif 000008
【図７】
2018125234.tif 000009
【図８】
2018125234.tif 000010